(57)【要約】【課題】流下する遊技球を遊技領域中央に方向転換する遊技球ガイドを、ガイド面上を遊技球が円滑に転動するように構成して、不規則な方向転換を排除した遊技機を提供する。【解決手段】役物装置２の外枠部３から遊技者側（手前側）に突出するように設けられた遊技球誘導部３１と、該遊技球誘導部の遊技者側端部に、遊技盤１と略平行となるように立設された板状部材３２とからなる遊技球ガイドにおいて、該板状部材の下流側の遊技盤側側面に帯状リブ３３を設け、該帯状リブの転動面３４からの高さを遊技球直径の半分とし、前後方向の厚みを１ｍｍ程度とした。【選択図】図２
2010220967.tif 000002
【特許請求の範囲】
【請求項１】
上方から流下する遊技球を遊技領域中央方向に誘導する遊技球ガイドが、遊技盤面上に遊技者側に突出するように設けられ、
前記遊技球ガイドが、
遊技球が転動することにより当該遊技球を遊技領域中央方向に誘導する遊技球誘導面を有して遊技盤面上に設けられる遊技球誘導部と、
前記遊技球誘導部の遊技者側端部に、前記遊技球誘導面に略垂直になるように、かつ遊技盤面との間隔を遊技球が通過し得る間隔になるように、前記遊技球誘導面の全面にわたり立設された板状部材と、
前記板状部材の遊技盤側に、前記遊技球誘導面における遊技球の流下方向の略中央部から下流部にかけて設置された帯状リブであって、前記遊技球誘導面からの設置高さが、転動する遊技球の略中央部になる高さに設定され、前記遊技盤方向へのリブ厚みが、前記遊技球誘導面上での遊技球の前後方向での転動を規制する厚みに設定されている帯状リブと、
を有することを特徴とする弾球遊技機。
【請求項２】
請求項１において、遊技球を一時的に転動させる遊技球転動面を有するステージ構造を有し、前記遊技球誘導面が、前記遊技球転動面よりも下方に位置するようにしたことを特徴とする弾球遊技機。
【発明の詳細な説明】
【技術分野】
【０００１】
本発明は、パチンコ遊技機等の弾球遊技機に関し、特に、遊技盤の中央に遊技球を一時的に転動させるステージ構造を有する弾球遊技機に関するものである。
【背景技術】
【０００２】
弾球遊技機において、図５に示すように、遊技盤１上のレール８ａ、８ｂに囲まれた遊技領域９内の略中央に役物装置２を有する弾球遊技機が知られている。
該役物装置２は、全体が外枠部３に囲まれており、その内部中央には液晶表示装置４が設けられている。また、該外枠部３の下部には遊技球を一時的に転動させるステージ５、側部には遊技球を該ステージ５上に案内する流入口６が設けられている。
また、該役物装置２の下方には、始動入賞口１０ａが配置されており、さらにその下方には大入賞口（いわゆるアタッカー）１１が配置されている。遊技領域内９内には、他に一般入賞口１０ｂも配置されている
さらに、最下方には、上記したどの入賞口にも入賞しなかった遊技球を回収するアウト口１３が配置され、その他、風車や障害釘等も、適宜配置されている。
【０００３】
このような遊技機は、遊技者が球発射ハンドル７を操作することにより、遊技球はレール８ａ、８ｂで囲まれた発射通路を通り、遊技領域９内に発射される。
発射された遊技球が該始動入賞口１０ａに入賞すると、その入賞に伴って抽せんが行われ、その抽せん結果は、遊技機右下部に設けられた特別図柄表示装置１２に表示される。
この抽せん結果を表示するにあたり、該液晶表示装置４における映像演出が併せて行われ、これらにより、遊技者に対し当せんに対する期待感を一層醸成させている。
そして、該抽せんに当せんするといわゆる特別遊技状態に移行し、大入賞口１１が大きく開口する。開口した該大入賞口１１には、容易に遊技球を多数入賞させることができるので、遊技者は大量の賞球を得ることができる。
【０００４】
したがって、遊技機をこのような特別遊技状態に移行させるためには、まずは遊技球を該始動入賞口１０ａに入賞させなければならない。
最近の弾球遊技機は、液晶表示装置４を用いた映像演出が多用されるため、該液晶表示装置４が大型化し、限られた遊技領域９がこのような大型の役物装置２に占有されている。
このため、始動入賞口１０ａの設置場所を該役物装置２の下方の、遊技領域９の略中央とすると、上方から流下してくる遊技球を、その方向に方向転換させる必要が生じる。
このため、上記したように、役物装置２の外枠部３の下部には遊技球を一時的に転動させるステージ５を設けると共に、該外枠部３の側部には遊技球を該ステージ５上に案内する流入口６を設けることが行われているが、さらに、該外枠部の左端下部に、上方から流下してくる遊技球を役物装置２下方の遊技領域へ方向転換する遊技球ガイドを設けることも行われている。
【先行技術文献】
【特許文献】
【０００５】
【特許文献１】特開平２００８−１３６５６２号公報
【発明の概要】
【発明が解決しようとする課題】
【０００６】
しかしながら、遊技球ガイドを設ける場合は、上方から流下してくる遊技球が、該遊技球ガイドから跳ね上がって上記したステージ５上に持ち上げられたり、あるいは、該遊技球ガイドから遠い位置まで飛ばされたりなどと、該遊技球ガイドの設計上、想定しない不規則な方向転換が生じてしまっている。
このような想定外の不規則な方向転換が生じると、遊技機に当初設計した出玉率（利益率）を変動させる要因となってしまう。
【０００７】
本発明はこの点に鑑みなされたものであり、ガイド面上を遊技球が円滑に転動するように遊技球ガイドを構成することにより、安定した出玉率（利益率）を保持した遊技機を提供する。
【課題を解決するための手段】
【０００８】
本発明は、上述した目的を達成する解決手段として、弾上方から流下する遊技球を遊技領域中央方向に誘導する遊技球ガイドが、遊技盤面上に遊技者側に突出するように設けられ、前記遊技球ガイドが、遊技球が転動することにより当該遊技球を遊技領域中央方向に誘導する遊技球誘導面を有して遊技盤面上に設けられる遊技球誘導部と、前記遊技球誘導部の遊技者側端部に、前記遊技球誘導面に略垂直になるように、かつ遊技盤面との間隔を遊技球が通過し得る間隔になるように、前記遊技球誘導面の全面にわたり立設された板状部材と、前記板状部材の遊技盤側に、前記遊技球誘導面における遊技球の流下方向の略中央部から下流部にかけて設置された帯状リブであって、前記遊技球誘導面からの設置高さが、転動する遊技球の略中央部になる高さに設定され、前記遊技盤方向へのリブ厚みが、前記遊技球誘導面上での遊技球の前後方向での転動を規制する厚みに設定されている帯状リブと、を有することを特徴とする構成とした。
【０００９】
さらに、本発明は、遊技球を一時的に転動させる遊技球転動面を有するステージ構造を有し、前記遊技球誘導面が、前記遊技球転動面よりも下方に位置するようにしたことを特徴とする構成とした。
【発明の効果】
【００１０】
本発明における弾球遊技機は、ガイド面上を遊技球が円滑に転動するように遊技球ガイドを構成することができるので、安定した方向転換がなされることから、設定したとおりの出玉率（利益率）を保持することのできる遊技機とすることができる。
また、従来の遊技球ガイドに帯状リブを付加するだけの構成なので、該遊技球ガイドを作成する際に、従来の金型を一部設計変更するのみで使用することができ、安価な遊技球ガイドを提供することができる。
【図面の簡単な説明】
【００１１】
【図１】本発明の実施例１に係る弾球遊技機の正面図。
【図２】本発明の実施例１に係る遊技球ガイドの遊技者側から見た正面断面図。
【図３】本発明の実施例１に係る遊技球ガイドの遊技盤面に平行に見た側面図（図４のＡ−Ａ断面図）。
【図４】本発明の実施例１に係る遊技球ガイドの遊技盤面に平行に見た上面図。
【図５】従来例における弾球遊技機の説明図。
【発明を実施するための形態】
【００１２】
本発明の弾球遊技機は、図１に示すように、遊技盤上１のレール８ａ、８ｂに囲まれた遊技領域９内の略中央に役物装置２０を有する弾球遊技機であって、役物装置２の外枠部３の下部には遊技球を一時的に転動させるステージ５を設けると共に、該外枠部３の側部には遊技球を該役物装置２内に流入させる流入口６が設けられている。そして、図２に示すように、該流入口６に連通し、遊技球をステージ５上に放出する流出口６’が該ステージ５端部において開口している。
また、該外枠部３の左下側面には、上方から流下してくる遊技球を、該ステージ５下方の遊技領域９の中央方向に方向転換させる遊技球ガイド３０が、遊技盤面１上に遊技者側に突出するように設けられている。
本発明では、該遊技球ガイド３０に係る構成以外は従来のものと同様である。
【００１３】
本発明の遊技球ガイド３０は、図２及び図３に示すように、役物装置２の外枠部３から遊技者側（手前側）に突出するように設けられた遊技球誘導部３１と、該遊技球誘導部３１の遊技者側端部に、前記遊技球誘導部３１に略垂直となるように、つまり遊技盤１と略平行となるように立設された板状部材３２と、該板状部材３２の下流側の遊技盤側側面に設けられた帯状リブ３３と、によって構成されている。
【００１４】
さらに、遊技球誘導部３１は、上方から流下する遊技球を受け止めて、該遊技球を右下方（つまりステージ５の下方であって、遊技領域９の中央方向）へ転動させる遊技球誘導面３４を有している。遊技球は、該遊技球誘導面３４上を、前記外枠部３と板状部材３３とによって前後方向（遊技盤に垂直な方向）の動きを規制されながら転動することとなる。
該遊技球誘導面３４は、全体として右下がりに構成されており、その内、略左半分（つまり遊技球の流下方向から見て上流側）は右下がりの傾斜角度を緩くした緩斜面３４ａに形成され、略右半分（下流側）は凸状の弓なり斜面３４ｂに形成されている。
弾球遊技機においては通常、直径１１ｍｍの遊技球が使用されるので、以下、該遊技球を使用するものとして説明する。
該遊技球誘導面３４の前後方向の幅は、従来の遊技球ガイドにおけるガイド面の前後幅と同様に、１３，５ｍｍを好適として設定されている。
また、該遊技球誘導面３４の流下方向の長さは、５ｃｍ程度とされ、遊技球が該遊技球誘導面３４を転動し終わった先には、障害釘３５が遊技盤１上から立設されている。
【００１５】
前記板状部材３２は、前記遊技球誘導面３４に略垂直となるように、該遊技球誘導面３４の全面にわたって立設されている。
該板状部材３２の遊技球誘導面３４から上端部までの高さは、遊技球の直径１１ｍｍ以上であって、およそ２０ｍｍ程度までとされる。また、その厚みは、ガラス扉のガラス面３６と遊技盤面との間隔が一定距離（１９ｍｍ）に規定されているので、厚くても２ｍｍ程度とされる。
該板状部材３２は、遊技者側から遊技球を視認できるように透明樹脂で作成されており、遊技者側の側面には各種の飾り模様が形成されていても良い。
該板状部材３２の遊技盤面側の側面には、前記弓なり斜面に対応する側面の一部に、帯状リブ３３が設けられている。
【００１６】
該帯状リブ３３の弓なり斜面３４ｂからの高さは、図３及び図４に示すように、遊技球が該弓なり斜面３４ｂ上を転動する際に、当該遊技球の略中央部（中央腹部）が該帯状リブ３３の中心位置となるように設定される。つまり、該帯状リブ３３の弓なり斜面３４ｂからの高さは、遊技球の直径１１ｍｍの半分である５．５ｍｍ程度に設定される。
また、該帯状リブ３３の前後方向の厚みは、遊技球誘導面３４上での遊技球の前後方向での転動を規制し、かつ遊技球の転動を円滑にする厚みとされる。本実施例では、該厚みを１．０ｍｍとし、したがって該帯状リブ３３が設けられている部分での前記外枠部３と該帯状リブ３３との間隔は、１２，５ｍｍ（＝１３．５ｍｍ−１．０ｍｍ）とされる。
また、該帯状リブ３３の流下方向での長さは、このような前後方向の転動を確実に規制できる長さとして遊技球１個分程度は必要であるが、一方、球詰まりが生じない長さ、つまり遊技球１．５個分程度以下の長さとすることも必要であり、１０ｍｍ〜１５ｍｍ程度とされる。
なお、該帯状リブ３３の上下方向の設置幅は、遊技球の略中央部が該帯状リブ３３に確実に当接する幅であればよいので、特に限定する必要はないが、この実施例では２ｍｍとされている。
【００１７】
以上のように構成された遊技球ガイド３０は、遊技球ａを次のようにガイドする。
上方から流下する遊技球は、その一部は、遊技盤１上に設けられた障害釘１５などによって、外枠部３の左下側面に設けられた遊技球ガイド３０方向に運ばれる。
その遊技球が、運良く、遊技球ガイド３０の緩斜面３４ａ上に進入すると、進入した遊技球ａは、該緩斜面３４ａでは板状部材３２と外枠部３との間隙が比較的広くなっているので、該板状部材３２と該外枠部３との間で前後方向にジグザグに転動しつつ該緩斜面３４ａを流下することになる。
このとき、遊技球ａは該緩斜面を流下することと併せ、ジグザグに何度も該板状部材３２及び外枠部３の壁面に衝突することとなるから、上方から流下してきたときに保持していた運動エネルギーを大いに消費することとなる。
そのように、運動エネルギーを大いに消費させられた遊技球ａは、次に、弓なり斜面３４ｂを流下することとなるが、該弓なり斜面３４ｂでは、該遊技球ａの中央腹部が帯状リブ３３によって前後方向に規制される。したがって、該帯状リブ３３に当接する区間では、遊技球ａは、前後方向での転動が更に規制されつつ流下することとなり、前後方向の運動量を小さくされる。したがって、弓なり斜面３４ｂを流下する際には、遊技球ａはその遊技球誘導面３４上を円滑に流下することとなり、該遊技球誘導面３４上を転動し終わる際には、全体の運動量が大幅に消費され、しかも前後方向の運動量が所定範囲とされた状態となる。
【００１８】
このように、該遊技球ａは、全体の運動量が大幅に消費され、しかも前後方向の運動量が所定範囲とされた状態となって遊技球ガイド３０から放出される。
したがって、当該遊技球ａが、該遊技球ガイド３０下流に設置されている障害釘３５に衝突する際には、該障害釘３５に対し所定角度範囲内でしか衝突しないし、そもそも運動量が減少されているので、不規則な角度で跳ね上がることや、上方のステージ５上まで大きく跳ね上げられることがない。また、該遊技球ガイド３０から放出されて飛び出す距離も、遊技球によってバラツキのない所定の範囲内となる。
【００１９】
このように、本発明の遊技球ガイド３０によれば、安定した方向転換がなされることから、設定したとおりの出玉率（利益率）を保持することのできる遊技機とすることができる。
また、従来の遊技球ガイドに帯状リブを付加するだけの構成なので、該遊技球ガイドを作成する際に、従来の金型を一部設計変更するのみで使用することができ、安価な遊技球ガイドを提供することができる。
【００２０】
なお、上記実施例では、遊技球ガイド３０は役物装置２の外枠部３に付属するように設けられているが、遊技盤１上に直接、設けても良い。
【００２１】
さらに、上記実施例では、遊技球誘導面３４が、緩斜面３４ａと弓なり斜面３４ｂとに区分して設けられているが、必ずしも、このような２区分を設ける必要はなく、例えば、緩斜面だけで構成したとしても、所定の効果を奏することが可能である。
【符号の説明】
【００２２】
１    遊技盤面
３    外枠部
４    液晶表示演出装置
５    ステージ
６    流入口
６’  流出口
２０  役物装置
３０  遊技球ガイド
３１  遊技球誘導部
３２  板状部材
３３  帯状リブ
３４  遊技球誘導面
３５  障害釘
３６  ガラス面
ａ    遊技球
【図１】
2010220967.tif 000003
【図２】
2010220967.tif 000004
【図３】
2010220967.tif 000005
【図４】
2010220967.tif 000006
【図５】
2010220967.tif 000007